(57)【要約】【課題】移動局の基地局への接続時間を短縮するとともに、移動局が接続時に必要な通信リソースを確保できる移動通信システムおよび無線通信方法を提供する。【解決手段】  基地局は、通信データを送受信するために接続中の移動局に割り当てる、所定タイミング後の通信フレームにおける無線通信チャネルを、前記通信フレームから割り当て、割り当てられた無線通信チャネルに基づいて、通信フレームにおける無線通信チャネルの使用率を示す通信リソース情報を生成し、生成された前記通信リソース情報を、報知情報に含めて送信し移動局は、複数の基地局それぞれの通信リソース情報を受信し、複数の基地局それぞれから送信された無線信号に基づく無線品質値を検出し、無線通信を開始する場合に、複数の基地局それぞれの、通信リソース情報と、無線品質値とに基づいて、接続先となる基地局を選択する。【選択図】図１
2011135264.tif 000002
【特許請求の範囲】
【請求項１】
基地局と、前記基地局に通信フレームを構成する複数の無線通信チャネルのうち少なくとも一部を割り当てられて通信を行う移動局と、を含む移動通信システムであって、
前記基地局は、
通信データを送受信するために接続中の移動局に割り当てる、所定タイミング後の通信フレームにおける無線通信チャネルを、前記通信フレームから割り当てる割当部と、
前記割当部により割り当てられた無線通信チャネルに基づいて、前記通信フレームにおける前記無線通信チャネルの使用率を示す通信リソース情報を生成する生成部と、
前記生成手段で生成された前記通信リソース情報を、報知情報に含めて送信する送信部と、を含み、
前記移動局は、
前記送信部により送信された、前記複数の基地局それぞれの通信リソース情報を受信する受信部と、
前記複数の基地局それぞれから送信された無線信号に基づく無線品質値を検出する検出部と、
無線通信を開始する場合に、前記複数の基地局それぞれの、前記通信リソース情報と、前記無線品質値とに基づいて、接続先となる基地局を選択する選択部と、
前記選択部で選択された基地局に、接続要求を行う制御部と、を含む、
ことを特徴とする移動通信システム。
【請求項２】
基地局と、前記基地局に通信フレームを構成する複数の無線通信チャネルのうち少なくとも一部を割り当てられて通信を行う移動局と、を含む移動通信システムの無線通信方法であって、
前記基地局は、
通信データを送受信するために接続中の移動局に割り当てる、所定タイミング後の通信フレームにおける無線通信チャネルを、前記通信フレームから割り当てるステップと、
前記割り当てられた無線通信チャネルに基づいて、前記所定タイミング後の通信フレームにおける前記無線通信チャネルの使用率を示す通信リソース情報を生成するステップと、
前記生成された前記通信リソース情報を、報知情報に含めて送信するステップと、を含み、
前記移動局は、
前記送信された、前記複数の基地局それぞれの通信リソース情報を受信するステップと、
前記複数の基地局それぞれから送信された無線信号に基づく無線品質値を検出するステップと、
無線通信を開始する場合に、前記複数の基地局それぞれの、前記通信リソース情報と、前記無線品質値とに基づいて、接続先となる基地局を選択するステップと、
前記選択された基地局に、接続要求を行うステップと、を含む、
ことを特徴とする無線通信方法。
【発明の詳細な説明】
【技術分野】
【０００１】
本発明は、移動通信システムおよび無線通信方法に関する。
【背景技術】
【０００２】
従来の移動通信システムでは、移動局が周辺の基地局から送信される無線信号の受信品質に基づいて、接続先となる基地局を選択する。
【０００３】
たとえば、ＯＦＤＭＡ（Orthogonal Frequency Division Multiple Access：直交周波数分割多元接続）方式およびＴＤＭＡ／ＴＤＤ（Time Division Multiple Access/Time Division Duplex：時分割多元接続／時分割複信）方式を採用するＸＧＰ（eXtended Global Platform）では、移動局が、周辺基地局から送信される無線信号のＲＳＳＩ（Received Signal Strength Indication：受信信号強度）に基づいて、接続先となる基地局を選択する（非特許文献１参照）。
【０００４】
しかしながら、接続先として選択した基地局に移動局が接続要求を行っても、当該基地局の通信リソースの使用状況により、当該移動局は接続拒否されるときがある。このような場合、移動局は、別の周辺基地局に再度接続要求を行う必要があり、周辺の基地局と移動局の通信状況によっては、基地局に接続するまで時間を要することとなっていた。
【０００５】
そして、このような問題に対し、基地局が、当該基地局の現在の通信リソースの使用状況を報知情報にて周辺の移動局に通知することで、移動局が接続拒否される可能性のある基地局への接続要求を回避する技術が提案されている（例えば、特許文献１を参照）。
【先行技術文献】
【特許文献】
【０００６】
【特許文献１】特開２０００−３２４５５３号公報
【非特許文献】
【０００７】
【非特許文献１】“ARIB STD-95 Version 1.2「OFDMA/TDMA TDD Broadband Wireless Access System (Next Generation PHS)」”、平成２１年３月１８日、社団法人電波産業界
【発明の概要】
【発明が解決しようとする課題】
【０００８】
しかしながら、ＸＧＰといった、通信フレームごとに基地局と移動局との間で使用される通信リソースが変化するような移動通信システムでは、移動局が通信リソースの使用状況を、基地局から送信される報知情報から確認後、選択した基地局に接続要求したとしても、その時点では、使用可能な通信リソースがないため接続拒否されたり、また、移動局の通信種別に応じたスループットを満たす通信リソースが割り当てられなかったりする場合がある。
【０００９】
本発明は、上記課題に鑑みてなされたものであり、移動局の基地局への接続時間を短縮するとともに、移動局が接続時に必要な通信リソースを確保できる移動通信システムおよび無線通信方法を提供することを目的とする。
【課題を解決するための手段】
【００１０】
上述した諸課題を解決すべく、第１の発明による移動通信システムは、基地局と、前記基地局に通信フレームを構成する複数の無線通信チャネルのうち少なくとも一部を割り当てられて通信を行う移動局と、を含む移動通信システムであって、前記基地局は、通信データを送受信するために接続中の移動局に割り当てる、所定タイミング後の通信フレームにおける無線通信チャネルを、前記通信フレームから割り当てる割当部と、前記割当部により割り当てられた無線通信チャネルに基づいて、前記通信フレームにおける前記無線通信チャネルの使用率を示す通信リソース情報を生成する生成部と、前記生成手段で生成された前記通信リソース情報を、報知情報に含めて送信する送信部と、を含み、前記移動局は、前記送信部により送信された、前記複数の基地局それぞれの通信リソース情報を受信する受信部と、前記複数の基地局それぞれから送信された無線信号に基づく無線品質値を検出する検出部と、無線通信を開始する場合に、前記複数の基地局それぞれの、前記通信リソース情報と、前記無線品質値とに基づいて、接続先となる基地局を選択する選択部と、前記選択部で選択された基地局に、接続要求を行う制御部と、を含む、ことを特徴とする。
【００１１】
また、上述した諸課題を解決すべく、第２の発明による無線通信方法は、基地局と、前記基地局に通信フレームを構成する複数の無線通信チャネルのうち少なくとも一部を割り当てられて通信を行う移動局と、を含む移動通信システムの無線通信方法であって、前記基地局は、通信データを送受信するために接続中の移動局に割り当てる、所定タイミング後の通信フレームにおける無線通信チャネルを、前記通信フレームから割り当てるステップと、前記割り当てられた無線通信チャネルに基づいて、前記所定タイミング後の通信フレームにおける前記無線通信チャネルの使用率を示す通信リソース情報を生成するステップと、前記生成された前記通信リソース情報を、報知情報に含めて送信するステップと、を含み、前記移動局は、前記送信された、前記複数の基地局それぞれの通信リソース情報を受信するステップと、前記複数の基地局それぞれから送信された無線信号に基づく無線品質値を検出するステップと、無線通信を開始する場合に、前記複数の基地局それぞれの、前記通信リソース情報と、前記無線品質値とに基づいて、接続先となる基地局を選択するステップと、前記選択された基地局に、接続要求を行うステップと、を含む、ことを特徴とする。
【発明の効果】
【００１２】
移動局が基地局から送信される通信リソースに関する情報を取得しておくことで、接続時間を短縮するとともに、移動局が接続時に必要な通信リソースを確保できる。
【図面の簡単な説明】
【００１３】
【図１】本発明の実施形態に係る移動通信システムの構成を示図である。
【図２】本実施形態に係る移動通信システムにおける無線チャネル構成を示す図である。
【図３】本実施形態に係る基地局の機能ブロック図である。
【図４】本実施形態に係る移動局の機能ブロック図である。
【図５】移動局の接続先となる基地局を選択する際の一例を示す図である。
【図６】本実施形態に係る移動通信システムにおける基地局の処理を示すフロー図である。
【図７】本実施形態に係る移動通信システムにおける移動局の処理を示すフロー図である。
【発明を実施するための形態】
【００１４】
以下、本発明の一実施形態を図面に基づいて詳細に説明する。
【００１５】
図１は、本発明の実施形態に係る移動通信システム１０の構成を示す図である。図１に示すように、移動通信システム１０は、移動局１２（ここでは１つのみを示す）、複数の基地局１４（ここでは移動局１２の周辺に位置する基地局１４−１〜１４−３のみを示す）と、を含んで構成される。ここでは、基地局１４−１〜１４−３のセル１６−１〜１６−３が、相互に重複しているものとする。
【００１６】
基地局１４は、ＯＦＤＭＡ方式およびＴＤＭＡ／ＴＤＤ方式により自局のセル１６内に位置する移動局１２と無線通信を行う。なお、移動局１２としては、携帯電話機、通信カード、通信機能を内蔵した携帯情報端末などがある。
【００１７】
図２は、移動通信システム１０における無線チャネル構成を示す図である（縦軸：周波数、横軸：時間）。図２に示すように、移動通信システム１０では、所定周期（ここでは５ｍｓ）のＴＤＭＡフレームが上りサブフレーム（２．５ｍｓ）と下りサブフレーム（２．５ｍｓ）とに区分され、さらに各サブフレームがそれぞれ複数のタイムスロット（ここではＳｌｏｔ１〜Ｓｌｏｔ４）に均等に区分されている。基地局１４−１〜１４−３の間では、ＴＤＭＡフレーム（無線信号の送受信周期）の境界が所定時間内（たとえば±１０μｓ内）に収まるよう、無線信号の送受信タイミングが同期している（フレーム同期がなされている）。また、所定の周波数帯域の複数のＯＦＤＭＡサブチャネル（ここではＳｃｈ１〜Ｓｃｈ１８）が規定されている。
【００１８】
基地局１４が移動局１２に割り当てる無線チャネルの最小単位はＰＲＵ（Physical Resource Unit）と呼ばれ、各ＰＲＵは、タイムスロット（Ｓｌｏｔ１〜Ｓｌｏｔ４）のいずれかと、サブチャネル（Ｓｃｈ１〜Ｓｃｈ１８）のいずれかと、に属する。なお、上りサブフレームおよび下りサブフレームともに、各ＰＲＵが、１から始まる連続するＰＲＵ番号（１，２，３，・・・）で識別されるよう定められており、ＰＲＵ番号の同じＰＲＵは上下ペアで使用されることになっている。つまり、なお、ＰＲＵは上下対称に割り当てられる。
【００１９】
このうち、ある特定のサブチャネル（ここではＳｃｈ１）に属するＰＲＵは、１以上の移動局１２に共用されるＣＣＨ（Common Channel：共通チャネル）として規定されている。また、各基地局１４に対して、所定の周期で繰り返される互いに重複しないＣＣＨの送受信タイミング（以下単に「ＣＣＨタイミング」という）が割り当てられている。例えば、連続する２０フレームに含まれる８０のタイムスロット対（４対の上下タイムスロット×２０フレーム）のいずれか１つがＣＣＨタイミングとして各基地局１４に割り当てられている。そして、各基地局１４は、自局に割り当てられたＣＣＨタイミングで、自局のセル１６内に位置する１以上の移動局１２と各種制御信号を送受信する。
【００２０】
一方、上記特定のサブチャネル以外のサブチャネル（ここではＳｃｈ２〜Ｓｃｈ１８）に属するＰＲＵは、各移動局１２に個別に割り当てられるＩＣＨ（Individual Channel：個別チャネル）として用いられる。ＩＣＨには、各移動局１２に個別制御チャネルとして原則１つ割り当てられ主に制御情報の伝送に用いられるＡＮＣＨ（Anchor Channel）、各移動局１２に通信チャネルとして１つ以上割り当てられ主に通信データの伝送に用いられるＥＸＣＨ（Extra Channel）などが含まれる。
【００２１】
移動局１２は、周辺の基地局１４（接続中の基地局１４を含む）のそれぞれから送信される無線信号を受信している。基地局１４から送信される無線信号には、ＣＣＨを介して送信されるＢＣＣＨ（Broadcasting Control Channel；報知制御チャネル）やＰＣＨ（Paging Channel：一斉呼出チャネル）、ＩＣＨを介して送信される制御信号や通信信号などがある。
【００２２】
このとき、基地局１４は、ＰＲＵの使用状況を示す通信リソース情報を、ＢＣＣＨに含めて送信する。そして、移動局１２は、周辺の基地局１４から受信したＢＣＣＨに含まれる各基地局１４のＰＲＵの使用状況を把握する。そして、ＰＲＵの使用状況と、各基地局１４からの無線信号の受信品質と、に基づいて基地局１４のいずれかを接続先として選択する。すなわち、移動局１２は、所定品質以上の通信品質が期待でき、さらに通信に必要な通信リソース（ＰＲＵ）を確保できる基地局１４を接続先として選択する。このため、移動通信システム１０では、移動局１２は、基地局１４への接続時間を短縮するとともに、移動局１２が接続時に必要な通信リソースを確保することができる。
【００２３】
以下では、上記処理を実現するために移動通信システム１０における移動局１２と、基地局１４が備える構成について具体的に説明する。
【００２４】
まず、基地局１４が備える構成について説明する。図３は、基地局１４の機能ブロック図である。図３に示すように、基地局１４は、アンテナ２０、受信ＲＦ部２２、受信ベースバンド部２４、制御部２６、送信ベースバンド部２８、および送信ＲＦ部３０を含んで構成される。
【００２５】
アンテナ２０は、周辺の移動局１２のそれぞれから送信される無線信号を受信し、受信された無線信号（受信信号）を受信ＲＦ部２２に出力する。また、アンテナ２０は、送信ＲＦ部３６から供給される無線信号を移動局１２に対して送信する。
【００２６】
受信ＲＦ部２２は、低雑音増幅器、周波数変換器、帯域通過フィルタ、Ａ／Ｄ変換器を含んで構成される。受信ＲＦ部２２は、アンテナ２０から入力される無線信号を、低雑音増幅器で増幅した後、中間周波数信号にダウンコンバートし、さらにデジタル信号に変換してから、受信ベースバンド信号部２４に出力する。
【００２７】
受信ベースバンド部２４は、直並列変換器、ＦＦＴ（Fast Fourier Transform）部、並直列変換器、および復調部（図示せず）を含んで構成される。受信ベースバンド部２４は、受信ＲＦ部２２から入力されるデジタル信号に、直並列変換、ＣＰの除去、１次復調（高速フーリエ変換）、並直列変換、２次復調（シンボルデマッピング）などを施し、得られた受信データを上位レイヤ（図示せず）に出力する。
【００２８】
制御部２６は、たとえばＣＰＵおよびＣＰＵの動作を制御するプログラムで構成され、基地局１４の各部を制御する。特に、制御部２６は、メッセージ解析部４０、無線品質検出部４２、チャネル割当部４４、通信リソース情報生成部４６およびメッセージ生成部４８を機能的に含み、移動局１２に割り当てるＰＲＵ（ＡＮＣＨ，ＥＸＣＨなど）の決定などを行う。
【００２９】
メッセージ解析部４０は、受信ベースバンド部２４から入力される受信データより移動局１２からの各種メッセージを抽出し、そのメッセージの内容を解析する。受信データより抽出される移動局１２からのメッセージには、ＬＣＨ割当要求メッセージ、ＬＣＨ再割当要求メッセージ、リンク設定要求メッセージ、機能拡張要求メッセージ、接続要求メッセージ、ＡＮＣＨ／ＣＳＣＨ切替要求メッセージ、ＡＮＣＨ／ＣＳＣＨ切替確認メッセージなどがある。
【００３０】
無線品質検出部４２は、受信ベースバンド部２４から入力される複素シンボル列に基づいて、基地局１４の使用周波数帯に属するＰＲＵそれぞれの無線品質を表す無線品質値を検出する。無線品質検出部４２で検出される無線品質値には、たとえば、キャリアセンス（妨害波測定）により検出されるＲＳＳＩ（Received Signal Strength Indication：受信信号強度）やＳＮＲ（Signal to Noise Ratio：信号対雑音電力比）などがある。
【００３１】
チャネル割当部４４は、無線品質検出部４２で検出される無線品質値、ＰＲＵの空き状況、移動局１２との間で送受されるデータの量、通信種別（音声通信、パケット通信など）、移動局１２の契約情報（その移動局１２に割り当て可能なＰＲＵの上限数に関連する情報）などに基づいて、移動局１２に割り当てるＰＲＵを決定する。たとえば、チャネル割当部４４は、移動局１２からのＬＣＨ割当要求メッセージに基づいて、その移動局１２にＡＮＣＨ（個別制御チャネル）として割り当てるＰＲＵを決定する。また、チャネル割当部４４は、所定タイミング後の、１フレームまたは複数フレームごとに、移動局１２にＥＸＣＨ（通信チャネル）として割り当てる１以上のＰＲＵを決定する。さらに、チャネル割当部４４は、移動局１２からのＡＮＣＨ／ＣＳＣＨ切替要求メッセージに基づいて、その移動局１２にＡＮＣＨとして割り当てるＰＲＵを変更する。
【００３２】
通信リソース情報生成部４６は、チャネル割当部４４で決定される接続中の移動局１２におけるＰＲＵの割り当てに基づき、基地局１４における、ＰＲＵの使用率を示す通信リソース情報を生成する。
【００３３】
メッセージ生成部４８は、移動局１２宛てのメッセージを生成し、そのメッセージを送信ベースバンド部３２に出力する。移動局１２宛てのメッセージには、その移動局１２にＡＮＣＨとして割り当てられたＰＲＵの番号を含むＬＣＨ割当応答メッセージ、ＬＣＨ再割当応答メッセージ、リンク設定応答メッセージ、機能拡張応答メッセージ、接続応答メッセージ、ＡＮＣＨ／ＣＳＣＨ切替指示メッセージなどがある。また、通信リソース情報を含む報知情報に関するメッセージも生成する。
【００３４】
送信ベースバンド部２８は、直並列変換器、ＩＦＦＴ（Inverse Fast Fourier Transform）部、並直列変換器、および変調部（図示せず）を含んで構成される。送信ベースバンド部２８は、上位レイヤ（図示せず）から入力される接続中の移動局１２または基地局１４の周辺の移動局１２宛ての送信データに、１次変調（シンボルマッピング）、直並列変換、２次変調（逆高速フーリエ変換）、ＣＰの付加、並直列変換などを施し、得られたデジタル信号を送信ＲＦ部３０に出力する。
【００３５】
送信ＲＦ部３０は、電力増幅器、周波数変換器、帯域通過フィルタ、およびＤ／Ａ変換器を含んで構成される。送信ＲＦ部３６は、送信ベースバンド部３４から入力されるデジタル信号を、アナログ信号に変換した後、無線信号にアップコンバートし、電力増幅器で送信出力レベルまで増幅してから、アンテナ２０に供給する。
【００３６】
記憶部３２は、チャネル割当部４４における移動局１２に対するＰＲＵの割り当てに関する情報、および無線品質検出部４２に検出された無線品質値を記憶する。
【００３７】
次に、移動局１２が備える構成について説明する。図４は、移動局１２の機能ブロック図である。図４に示すように、移動局１２は、アンテナ５０、受信ＲＦ部５２、受信ベースバンド部５４、制御部５６、送信ベースバンド部５８、送信ＲＦ部６０、および記憶部６２を含んで構成される。
【００３８】
アンテナ５０は、周辺の基地局１４のそれぞれから送信される無線信号を受信し、受信された無線信号（受信信号）を受信ＲＦ部５２に出力する。また、アンテナ５０は、送信ＲＦ部６０から供給される無線信号を基地局１４に対して送信する。
【００３９】
受信ＲＦ部５２は、低雑音増幅器、周波数変換器、帯域通過フィルタ、Ａ／Ｄ変換器を含んで構成される。受信ＲＦ部５２は、アンテナ５０から入力される無線信号を、低雑音増幅器で増幅した後、中間周波数信号にダウンコンバートし、さらにデジタル信号に変換してから、受信ベースバンド信号部５４に出力する。
【００４０】
受信ベースバンド部５４は、直並列変換器、ＦＦＴ（Fast Fourier Transform）部、並直列変換器、および復調部（図示せず）を含んで構成される。受信ベースバンド部２４は、受信ＲＦ部２２から入力されるデジタル信号に、直並列変換、ＣＰの除去、１次復調（高速フーリエ変換）、並直列変換、２次復調（シンボルデマッピング）などを施し、得られた受信データを上位レイヤ（図示せず）に出力する。
【００４１】
制御部５６は、たとえばＣＰＵおよびＣＰＵの動作を制御するプログラムで構成され、移動局１２の各部を制御する。特に、制御部５０は、メッセージ解析部７０、無線品質検出部７２、接続先選択部７４、およびメッセージ生成部７６を機能的に含み、移動局１２の基地局１４への接続要求など、通信処理に関する制御などを行う。
【００４２】
メッセージ解析部７０は、受信ベースバンド部５４から入力される受信データより基地局１４からの各種メッセージを抽出し、そのメッセージの内容を解析する。たとえば、メッセージ解析部３０は、受信データより基地局１４からのＬＣＨ（Link Channel）割当応答メッセージを取得し、そのＬＣＨ割当応答メッセージからＡＮＣＨ（個別制御チャネル）として移動局１２に割り当てられたＰＲＵの番号（ＡＮＣＨのタイムスロットおよびサブチャネルを識別するための情報）などを取得する。なお、受信データより抽出される基地局１４からメッセージには、ＬＣＨ割当応答メッセージの他に、ＬＣＨ再割当応答メッセージ、リンク設定応答メッセージ、機能拡張応答メッセージ、接続応答メッセージ、ＡＮＣＨ／ＣＳＣＨ切替指示メッセージなどがある。また、通信リソース情報を含む報知情報に関するメッセージの内容を解析する。
【００４３】
無線品質検出部７２は、受信ベースバンド部５４から入力される複素シンボル列に基づいて、基地局１４の使用周波数帯に属するＰＲＵそれぞれの無線品質を表す無線品質値を検出する。無線品質検出部７２で検出される無線品質値には、たとえば、キャリアセンス（妨害波測定）により検出されるＲＳＳＩ（Received Signal Strength Indication：受信信号強度）やＳＮＲ（Signal to Noise Ratio：信号対雑音電力比）などがある。
【００４４】
接続先選択部７２は、移動局１２の接続先となる基地局１４を選択する。たとえば、移動局１２が、通信を行う場合、接続先選択部７２は、各基地局１４から送信される通信リソース情報と、無線品質検出部７２で検出された無線品質値に基づいて、接続先の基地局１４を選択する。
【００４５】
メッセージ生成部３６は、基地局１４宛てのメッセージを生成し、そのメッセージを送信ベースバンド部５８に出力する。基地局１４宛てのメッセージには、ＬＣＨ割当要求メッセージ、ＬＣＨ再割当要求メッセージ、リンク設定要求メッセージ、機能拡張要求メッセージ、接続要求メッセージ、ＡＮＣＨ／ＣＳＣＨ切替要求メッセージ、ＡＮＣＨ／ＣＳＣＨ切替確認メッセージなどがある。
【００４６】
送信ベースバンド部５８は、直並列変換器、ＩＦＦＴ（Inverse Fast Fourier Transform）部、並直列変換器、および変調部（図示せず）を含んで構成される。送信ベースバンド部５８は、上位レイヤ（図示せず）から入力される接続中の、または接続先となる基地局１４宛ての送信データに、１次変調（シンボルマッピング）、直並列変換、２次変調（逆高速フーリエ変換）、ＣＰの付加、並直列変換などを施し、得られたデジタル信号を送信ＲＦ部６０に出力する。
【００４７】
送信ＲＦ部６０は、電力増幅器、周波数変換器、帯域通過フィルタ、およびＤ／Ａ変換器を含んで構成される。送信ＲＦ部３６は、送信ベースバンド部３４から入力されるデジタル信号を、アナログ信号に変換した後、無線信号にアップコンバートし、電力増幅器で送信出力レベルまで増幅してから、アンテナ５０に供給する。
【００４８】
記憶部６２は、メッセージ解析部７０により解析された通信リソース情報、および無線品質検出部７２に検出された無線品質値を記憶する。
【００４９】
次に、接続先選択部７２における接続先選択の一例を示す。移動局１２は、基地局１４−１〜３から送信される無線信号を受信可能である。そして、接続先となる基地局１４を選択するにあたり、各基地局１４における無線品質値と、報知情報に含まれる通信リソース情報を用いる。図５（Ａ）のテーブルは、記憶部６２が記憶する、移動局１２が取得した基地局１４−１〜３における無線品質値と、通信リソース情報（各基地局におけるＰＲＵの使用率）とを示している。そして、取得した通信リソース情報と、無線品質値を、例えば、記憶部６２が記憶する図５（Ｂ）のテーブルに示すようなパラメータに置き換える。そして、（通信リソースパラメータ）×（無線品質値パラメータ）にて算出された値が最も高い基地局１４を接続先として選択する。図５（Ａ）の場合では、ＰＲＵの使用状況が最も使用率が２番目で、受信感度も２番目の基地局１４−１が接続先として選択される。また、接続先選択部７２における基地局１４の選択は、例えば、「ＰＲＵの使用率が○○％以下の基地局１４に優先接続する」などの機能を持たせることも可能である。この場合は、優先したい事項に重み付けを行うことでパラメータの調整を行う。
【００５０】
次に、移動通信システムにおいて、基地局１４が送信する通信リソース情報を使用した移動局１２の接続先選択に関する動作の一例を説明する。
【００５１】
図６は、基地局１４が、通信リソース情報を送信する処理を示すフロー図である。
【００５２】
図６に示すように、基地局１４は、周辺に位置する基地局、および移動局１２のそれぞれから送信される無線信号から、のＲＳＳＩ（無線品質の１つ）を検出する（Ｓ１０）。そして、検出したＲＳＳＩや、ＰＲＵの空き状況、接続中の移動局１２との間で送受されるデータの量、通信種別、移動局１２の契約情報などに基づいて、移動局１２に割り当てるＰＲＵを決定する（Ｓ１２）。そして、接続中の移動局１２へのＰＲＵの割り当てからＰＲＵの使用率を示す通信リソース情報を生成する（Ｓ１４）。そして、生成した通信リソース情報を報知情報に含めて送信する（Ｓ１６）。
【００５３】
次に、基地局１４は、移動局１２からの接続要求がなされたか否かを判定する（Ｓ１８）。接続要求がなされた場合（Ｓ１８：Ｙ）、Ｓ２０に移行し、接続要求を行った移動局１２との接続処理を行い、通信を開始する。一方、接続要求がなされていない場合（Ｓ１８：Ｎ）、Ｓ１０に移行する。
【００５４】
図７は、移動局１２が、接続先となる基地局１４を選択する処理を示すフロー図である。ここでは、図１に示すように、移動局１２が、基地局１４−１〜３から送信される無線信号を受信可能であるものとする。
【００５５】
図７に示すように、移動局１２は、所定の周期（たとえば２０フレーム周期）で、その周辺に位置する基地局１４−１〜３のそれぞれから送信される無線信号から、のＲＳＳＩ（無線品質の１つ）を検出する（Ｓ１００）。また、移動局１２は、基地局１４−１〜３のそれぞれから送信される報知情報から、各基地局１４における通信リソース情報をする（Ｓ１０２）。
【００５６】
次に、移動局１２は、ユーザの操作等により、基地局１４と通信を開始する要求がなされたか否かを判定する（Ｓ１０４）。通信を開始する要求がなされた場合（Ｓ１０４：Ｙ）、Ｓ１０６に移行する。一方、通信を開始する要求がなされていない場合（Ｓ１０４：Ｎ）、Ｓ１００に移行する。
通信を開始する要求がなされた場合（Ｓ１０４：Ｙ）、移動局１２は、基地局１４−１〜３における無線品質値と、通信リソース情報に基づいて、接続先となる基地局１４を評価する（Ｓ１０６）。そして、接続先の基地局１４（ここでは、基地局１４−１）を選出する（Ｓ１０８）。そして、移動局１２は、接続先として選択した基地局１４に接続要求後、接続処理を行って通信を開始し（Ｓ１１０）、本処理を終了する。
【００５７】
以上説明した移動通信システム１０によれば、移動局１２は、事前に確実に接続でき、かる通信リソースを確保できる基地局１４を接続先として選択する。このため、移動局１２の基地局１４への接続時間を短縮するとともに、移動局１２が接続時に必要な通信リソースを確保することが可能となる。
【００５８】
なお、本発明は、上記実施形態に限定されるものではない。
【００５９】
たとえば、本発明は、移動局１２が新規接続を行う場面に限らず、移動局１２がハンドオーバを行う場面にも適用可能である。
【符号の説明】
【００６０】
１０  移動通信システム、１２  移動局、１４  基地局、１６  セル、２０，５０  アンテナ、２２，５２  受信ＲＦ部、２４，５４  受信ベースバンド部、２６，５６  制御部、２８，５８  送信ベースバンド部、３０，６０  送信ＲＦ部、３２，６２  記憶部、４０，７０  メッセージ解析部、４２，７２  無線品質検出部、４４  チャネル割当部、４６  通信リソース情報生成部、４８，７６、７４  接続先選択部。
【図１】
2011135264.tif 000003
【図２】
2011135264.tif 000004
【図３】
2011135264.tif 000005
【図４】
2011135264.tif 000006
【図５】
2011135264.tif 000007
【図６】
2011135264.tif 000008
【図７】
2011135264.tif 000009